(57)【要約】      （修正有）【課題】価値の高い商品を得ることができ、損紙発生の少ない貼合わせ装置を提供する。【解決手段】シート状基材Ａ移送路の第１送りロール１と第２送りロール２間に、基材Ａに紫外線硬化型粘着剤を印刷するユニット１０とニップロール２０と紫外線照射ユニット３０と剥離手段を設ける。第１送りロールと第２送りロール間で基材Ａを間歇送りし、基材Ａの前進時に粘着剤を印刷する。粘着剤Ｂ上に離型シートＳ１に金属箔を設けた転写シートＳ０を重ね合わせ、基材Ａにシート積層体Ｓ１を形成する。シート積層体Ｓ１に紫外線を照射して粘着剤Ｂを硬化させ、剥離手段により離型シートＳ１を剥離して、粘着剤Ｂ上に金属箔を転写する。基材Ａの後退時にニップロール２０を基材Ａと同方向に同じ速度で同量後退させ、粘着剤Ｂがニップロール２０間から上流側に引き戻されるのを防止し、金属箔が未硬化の粘着剤Ｂから剥がされることのないようにする。【選択図】図２
2010023262.tif 000002
【特許請求の範囲】
【請求項１】
連続シート状基材の移送路に、正逆回転される上下一対の送りロールの２組を基材の移送方向に間隔をおいて設け、その２組の一対の送りロール間に、上流側から順に、基材の片面に対して紫外線硬化型粘着剤を印刷する粘着剤塗布用の輪転式印刷ユニットと、離型シートの片面に金属箔が設けられた転写シートを、その金属箔が印刷ユニットにより印刷された粘着剤に接着されるよう前記基材に貼り合わせてシート積層体を形成する一対のニップロールと、前記シート積層体の片面側から紫外線を照射して粘着剤を硬化させる紫外線照射ユニットと、前記シート積層体から離型シートを剥離させる剥離手段とを設け、前記２組の一対の送りロールを基材の前進送り方向に間歇的に等速回転させて基材を下流側に向けて移動させる前進送り動作と、その前進停止後に送りロールを逆転させて前進送り時の送りロールの立ち上がり回転および立下り回転による基材の送り量に略相当する量だけ基材を上流側に引き戻す後退送り動作を繰り返し行い、前進時に前記印刷ユニットにより粘着剤を印刷し、前記紫外線照射ユニットからの紫外線の照射により粘着剤を硬化させて金属箔を粘着剤上に転写するようにした貼り合わせ装置において、
前記一対のニップロールを回転自在に支持する支持体を基材の移送方向に移動自在に支持し、前記基材の後退時に、その支持体を基材と同方向に同じ速度でもって同量だけ後退動させる移動装置を設けたことを特徴とする貼り合わせ装置。
【請求項２】
前記移動装置が、駆動プーリおよび従動プーリと、その両プーリ間に掛け渡されて、一部に前記支持体が連結されたベルトからなる請求項１に記載の貼り合わせ装置。
【請求項３】
等間隔にインキ印刷が施された連続シート状基材の移送路に、正逆回転される上下一対の送りロールの２組を基材の移送方向に間隔をおいて設け、その２組の一対の送りロール間に、上流側から順に、基材のインキ印刷面に対して紫外線硬化型のニスを印刷する輪転式印刷ユニットと、前記基材のニス印刷面側にフィルムを貼り合わせてシート積層体を形成する一対のニップロールと、前記シート積層体の片面側から紫外線を照射してニスを硬化させる紫外線照射ユニットと、前記シート積層体から前記フィルムを剥離させる剥離手段とを設け、前記２組の一対の送りロールを基材の前進送り方向に間歇的に等速回転させて基材を下流側に向けて移動させる前進送り動作と、その前進停止後に送りロールを逆転させて前進送り時の送りロールの立ち上がり回転および立下り回転による基材の送り量に略相当する量だけ基材を上流側に引き戻す後退送り動作を繰り返し行い、前進送り時に前記印刷ユニットによってインキ印刷面上にニスを印刷し、前記紫外線照射ユニットからの紫外線の照射によりニスを硬化させるようにした貼り合わせ装置において、
前記一対のニップロールを回転自在に支持する支持体を基材の移送方向に移動自在に支持し、前記基材の後退送り時に、その支持体を基材と同方向に同じ速度でもって同量だけ後退動させる移動装置を設けたことを特徴とする貼り合わせ装置。
【請求項４】
等間隔にインキ印刷が施された連続シート状基材の移送路に、正逆回転される上下一対の送りロールの２組を基材の移送方向に間隔をおいて設け、その２組の一対の送りロール間に、上流側から順に、基材のインキ印刷面に対して紫外線硬化型の糊を印刷する輪転式印刷ユニットと、前記基材の糊印刷面側にフィルムを貼り合わせてシート積層体を形成する一対のニップロールと、前記シート積層体の片面側から紫外線を照射して糊を硬化させる紫外線照射ユニットと、前記シート積層体から前記フィルムを剥離させる剥離手段とを設け、前記２組の一対の送りロールを基材の前進送り方向に間歇的に等速回転させて基材を下流側に向けて移動させる前進送り動作と、その前進停止後に送りロールを逆転させて前進送り時の送りロールの立ち上がり回転および立下り回転による基材の送り量に略相当する量だけ基材を上流側に引き戻す後退送り動作を繰り返し行い、前進送り時に前記印刷ユニットによってインキ印刷面上に糊を印刷し、前記紫外線照射ユニットからの紫外線の照射により糊を硬化させるようにした貼り合わせ装置において、
前記一対のニップロールを回転自在に支持する支持体を基材の移送方向に移動自在に支持し、前記基材の後退送り時に、その支持体を基材と同方向に同じ速度でもって同量だけ後退動させる移動装置を設けたことを特徴とする貼り合わせ装置。
【発明の詳細な説明】
【技術分野】
【０００１】
この発明は、シールやラベル等の連続シート状基材に金属箔を転写する貼り合わせ装置に関するものである。
【背景技術】
【０００２】
連続シート状基材に金属箔を転写する転写装置（貼り合わせ装置）として、特許文献１に記載されたものが従来から知られている。この貼り合わせ装置においては、図４に示すように、基材Ａの移送路に圧胴１１および版胴１２を有する印刷ユニット１０を設け、その印刷ユニット１０により上記基材Ａの片面に紫外線硬化型の粘着剤Ｂを印刷し、離型シートｓ１の片面に金属箔ｓ２が設けられた転写シートＳ０を、その金属箔ｓ２が上記基材Ａの印刷面と対向するよう重ね合わせて、上下一対のニップロール２０による挟圧により基材Ａに転写シートＳ０を貼り合わせ、その貼り合わせによって形成されるシート積層体Ｓ１の片面に紫外線照射ユニット３０から出射される紫外線を照射し、粘着剤Ｂの硬化により金属箔ｓ２を固着させた後、基材Ａから離型シートｓ１を剥離して、粘着剤Ｂ上に金属箔ｓ２を転写するようにしている。
【０００３】
ところで、上記貼り合わせ装置においては、粘着剤の印刷が、印刷ユニット１０の圧胴１１および版胴１２を基材Ａの移送方向に連続回転させて印刷を行う連続輪転印刷方式によるものであるため、粘着剤は版胴１２の周長に等しいピッチで印刷されることになり、印刷された粘着剤Ｂ間に多くの損紙が生じるという不都合がある。
【０００４】
ここで、輪転印刷方式には、上記のような連続輪転印刷方式の他に、間歇輪転印刷方式が存在する。この間歇輪転印刷方式においては、一対の送りロールの間歇回転により基材を間歇送りし、その基材の移送時に印刷を行う間歇輪転印刷方式が存在する。この場合、印刷物間の間隔は非常に小さいものとなるため、損紙を少なくすることができるが、停止状態の送りロールが版胴の周速に等しくなるまでの立ち上がり回転時、および、印刷完了後において等速回転していた送りロールが停止するまでの立下り回転時にも基材が移送されるため、損紙を完全に無くすことはできない。
【０００５】
損紙を最小限に抑えるため、版胴に取付けられた印版が印刷を完了して次の印刷が行なわれるまでの間に、送りロールの立ち上がり回転および立下り回転による基材の送り量に略相当する量だけ基材を後退させるようにした間歇輪転印刷方式が提案されている。
【０００６】
上記のような基材の前進送り後に、その基材を後退動させるようにした間歇輪転印刷方式を貼り合わせ装置に採用すると、損紙を最小限に抑えることができ、基材や転写シートの有効利用に効果を挙げることができる。
【０００７】
【特許文献１】特開２００４−１９５７５４号公報
【発明の開示】
【発明が解決しようとする課題】
【０００８】
ところで、基材の前進送りと後退とを繰り返し行なう間歇輪転印刷方式を特許文献１に記載された貼り合わせ装置に採用した場合、基材を後退させた時、一旦、ニップロールを通過した未硬化の粘着剤がニップロールの上流側に引き戻されることになる。この場合、転写シートの金属箔は未硬化の粘着剤との接着によって離型シートから不完全な状態で剥離されることになるため、平滑度の悪い、光沢の無い金属箔が基材に転写されることになり、価値の低い商品が形成されるという問題が発生する。
【０００９】
また、貼り合わせ装置には、上記のような金属箔の転写装置以外に、インキ印刷された基材のインキ印刷面上に艶出し用のニスを印刷し、そのニスの平滑性を保持するためにフィルムを貼り合わせ、ニスの硬化後にフィルムを剥離させるようにしたものや、インキ印刷された基材のインキ印刷面上に糊を印刷し、その糊を介してラミネートフィルムを基材に接着し、上記ラミネートフィルムをインキ印刷面の周囲に沿ってハーフカットし、その抜きかすと成るラミネートフィルムを基材から剥離させるようにしたものもある。
【００１０】
上記のような貼り合わせ装置において、基材の前進送りと後退送りとを繰り返し行なう間歇輪転印刷方式を採用すると、基材を後退させた時、一旦、ニップロールを通過した未硬化のニスあるいは糊がニップロールの上流側に引き戻されることになり、基材とフィルムの剥離境界位置において、ニスあるいは糊に線状の模様が形成され、価値の低い商品が形成されるという問題が発生する。
【００１１】
この発明の課題は、価値の高い商品を得ることができる損紙の発生の少ない貼り合わせ装置を提供することである。
【課題を解決するための手段】
【００１２】
上記の課題を解決するため、第１の発明においては、連続シート状基材の移送路に、正逆回転される上下一対の送りロールの２組を基材の移送方向に間隔をおいて設け、その２組の一対の送りロール間に、上流側から順に、基材の片面に対して紫外線硬化型粘着剤を印刷する粘着剤塗布用の輪転式印刷ユニットと、離型シートの片面に金属箔が設けられた転写シートを、その金属箔が印刷ユニットにより印刷された粘着剤に接着されるよう前記基材に貼り合わせてシート積層体を形成する一対のニップロールと、前記シート積層体の片面側から紫外線を照射して粘着剤を硬化させる紫外線照射ユニットと、前記シート積層体から離型シートを剥離させる剥離手段とを設け、前記２組の一対の送りロールを基材の前進送り方向に間歇的に等速回転させて基材を下流側に向けて移動させる前進送り動作と、その前進停止後に送りロールを逆転させて前進送り時の送りロールの立ち上がり回転および立下り回転による基材の送り量に略相当する量だけ基材を上流側に引き戻す後退送り動作を繰り返し行い、前進時に前記印刷ユニットにより粘着剤を印刷し、前記紫外線照射ユニットからの紫外線の照射により粘着剤を硬化させて金属箔を粘着剤上に転写するようにした貼り合わせ装置において、前記一対のニップロールを回転自在に支持する支持体を基材の移送方向に移動自在に支持し、前記基材の後退時に、その支持体を基材と同方向に同じ速度でもって同量だけ後退動させる移動装置を設けた構成を採用したのである。
【００１３】
上記の構成からなる貼り合わせ装置においては、２組の一対の送りロールの回転により基材の前進と後退とを繰り返し行い、その前進時に印刷ユニットにより粘着剤を印刷し、その印刷面に転写シートを重ね合わせ、ニップロールのニップ圧（挟圧）により基材に転写シートを貼り合わせてシート積層体を形成する。そのシート積層体に紫外線照射ユニットから出射される紫外線を照射して粘着剤を硬化させて金属箔を固着し、その粘着剤の硬化後に離型シートを基材から剥離させて、粘着剤に金属箔を転写する。
【００１４】
上記のような金属箔の転写において、基材を前進させる場合、２組の一対の送りロールを停止状態から加速し、その周速が印刷ユニットの版胴に取り付けられた印版の周速に等しくなると等速回転させ、その等速回転時に印刷を行う。そして印刷が完了すると減速して停止する。
【００１５】
また、基材を後退させる場合は、上記一対の送りロールの加速による立ち上がり回転時および減速による立下り回転時の基材の送り量に略相当する量だけ基材を上流側に引き戻して、印刷される粘着剤の間隔を小さくし、損紙の発生を抑制する。
【００１６】
また、基材の後退による引き戻し時には、移動装置の作動により一対のニップロールを支持する支持体を基材の後退方向と同方向に同じ速度でもって同量だけ移動させるようにして、基材に印刷された未硬化の粘着剤が一対のニップロールから上流側に引き抜かれるのを防止する。
【００１７】
このように、基材の後退による引き戻し時に一対のニップロールを支持する支持体を基材の後退方向と同方向に同じ速度でもって同量だけ移動させることにより、転写シートの金属箔が未硬化の粘着剤との接着によって離型シートから不完全な状態で剥離されるのを防止することができる。
【００１８】
ここで、移動装置として、駆動プーリおよび従動プーリと、その両プーリ間に掛け渡されて、一部に支持体が連結されたベルトからなるものを採用することができる。
【００１９】
上記の課題を解決するために、第２の発明においては、基材としてインキ印刷されたものを用いると共に、第１の発明に係る紫外線硬化型粘着剤に代えて紫外線硬化型ニスを採用して、そのニスをインキ印刷面上に印刷し、かつ、離型シートに代えてフィルムを採用し、そのフィルムによって印刷されたニスの平滑性を保持するようにしたのである。
【００２０】
上記第２の発明においては、紫外線の照射によってニスを硬化させた後、フィルムを基材から剥離する。
【００２１】
上記の課題を解決するために、第３の発明においては、基材としてインキ印刷されたものを用いると共に、第１の発明に係る紫外線硬化型粘着剤に代えて紫外線硬化型の糊を採用して、その糊をインキ印刷面上に印刷し、かつ、離型シートに代えてラミネートフィルムを採用したのである。
【００２２】
上記第３の発明においては、紫外線の照射によって糊を硬化させた後、ラミネートフィルムをインキ印刷面の周囲に沿ってハーフカットし、その抜きかすと成るラミネートフィルムを基材から剥離させるようにする。
【発明の効果】
【００２３】
上記のように、第１の発明においては、前進と後退とが繰り返し行なわれる基材の後退時に、一対のニップロールを回転自在に支持する支持体を基材と同方向に同じ速度でもって同量だけ後退動させて基材に印刷された未硬化の粘着剤が一対のニップロールから上流側に引き抜かれるのを防止するようにしたので、転写シートの金属箔が未硬化の粘着剤との接着によって離型シートから不完全な状態で剥離されるというようなことがなくなり、上記基材に対して平滑度の高い光沢のある金属箔を転写することができる。
【００２４】
また、基材の前進と後退の繰り返しによる間歇輪転印刷方式によって粘着剤の印刷を行なうようにしたので、その粘着剤に転写される金属箔の間隔は小さく、基材および転写シートの損紙の発生を最小限に抑えることができる。
【００２５】
第２の発明および第３の発明においては、基材に印刷されたニスあるいは糊の印刷部位からフィルムやラミネートフィルムが剥離されることがないため、ニスあるいは糊に線状の模様が形成されるという不都合の発生はなく、商品価値の高い商品を得ることができる。
【発明を実施するための最良の形態】
【００２６】
以下、この発明の実施の形態を図１乃至図３に基づいて説明する。図１および図２に示すように、基材ロールＲ１から引き出された連続シート状の基材Ａは紙あるいは合成樹脂シート等からなる。その基材Ａの移送路には、一対の第１送りロール１と一対の第２送りロール２とが基材Ａの移送方向に間隔をおいて設けられている。一対の第１送りロール１の一方はサーボモータ３で回転駆動される。また、一対の第２送りロール２の一方はサーボモータ４で回転駆動される。
【００２７】
基材ロールＲ１から引き出された連続シート状の基材Ａは一対の第１送りロール１間に至る前段においてダンサーロール５に掛け渡されてループＬ１が形成される。なお、ダンサーロール５に代えてサクションボックスによりループを形成するようにしてもよい。
【００２８】
第１送りロール１と第２送りロール２間における基材Ａの移送路には、上流側から順に、基材Ａの片面に対して紫外線硬化型粘着剤を印刷する印刷ユニット１０と、シートロールＲ２から引き出された転写シートＳ０を基材Ａの粘着剤印刷面側に貼り合わせてシート積層体Ｓ１を形成する一対のニップロール２０と、前記シート積層体Ｓ１の片面側から紫外線を照射して粘着剤を硬化させる紫外線照射ユニット３０が設けられている。
【００２９】
印刷ユニット１０は、圧胴１１、版胴１２およびその版胴１２の外周に取り付けられる印版１３に粘着剤を供給する供給ロール１４とからなり、上記印版１３に供給された粘着剤を圧胴１１と版胴１２間に挿通された基材Ａに印刷するようにしている。なお、印刷ユニット１０は上記のような凸版印刷式のものに限定されず、オフセット印刷式やグラビア印刷式のものであってもよい。
【００３０】
ここで、粘着剤は、エポキシアクリレート、ウレタンアクリレート、アクリル変性ポリエステル等をオリゴマーとし、これに架橋構造・粘度の調整等を目的としたネオベンチルグリコールアクリレート、トリメチロールプロパンアクリレート等のモノマーを配合し、さらに光重合開始剤を配合したものであり、紫外線を照射することによって硬化するようになっている。
【００３１】
転写シートＳ０は、図３に示すように、透明な合成樹脂シート等からなる離型性を有する離型シートｓ１と、その片面に設けられた金属箔ｓ２とからなる。金属箔ｓ２は、アルミ二ウム、クロム、アンチモン、銅、銀等の金属やこれらの合金からなり、蒸着法等によって離型シートｓ１の片面全体に設けられている。
【００３２】
上記転写シートＳ０は、金属箔ｓ２が基材Ａの粘着剤印刷面側に対向するようにして一対のニップロール２０間に導き出され、その一対のニップロール２０の挟圧（ニップ圧）により基材Ａに貼り合わされる。その貼り合わせによりシート積層体Ｓ１が形成される。
【００３３】
図１に示すように、一対のニップロール２０は、支持体２１によって両端部が回転自在に支持されている。支持体２１は基材Ａの移送方向に延びるリニアレール２２に沿って移動自在とされ、移動装置２３によって基材Ａの移送方向に移動される。
【００３４】
移動装置２３は、サーボモータ２４によって回転される駆動プーリ２５と、従動プーリ２６と、その両プーリ２５、２６間に掛け渡したエンドレスのベルト２７とからなり、上記ベルト２７の一部に支持体２１を連結し、そのベルト２７の移動によって支持体２１をリニアレール２２に沿って移動させるようにしている。
【００３５】
紫外線照射ユニット３０は、紫外線照射ランプからなり、そのランプから出射される紫外線は離型シートｓ１を透過して粘着剤Ｂを照射する。その照射によって粘着剤Ｂが硬化し、金属箔ｓ２が固着される。なお、基材Ａが透明なフィルムからなる場合、基材Ａ側に紫外線照射ユニット３０を設けるようにしてもよい。
【００３６】
図１に示すように、紫外線照射ユニット３０と第２送りロール２間には、基材Ａから離型シートｓ１を剥離する剥離手段４０が設けられている。剥離手段４０は、一対の剥離ロール４１からなり、その一対の剥離ロール４１の一方に沿って離型シートｓ１を引き上げることによって、離型シートｓ１を剥離させるようにしている。剥離後の離型シートｓ１はドラム４２によって巻き取られるようになっている。
【００３７】
一対の第２送りロール２を通過した基材Ａは、ダンサーロール５０に掛け渡されてループＬ２が形成され、巻取りドラム５１に巻き取られるようになっている。
【００３８】
実施の形態で示す貼り合わせ装置は上記の構造からなり、基材Ａに対する金属箔ｓ２の転写に際しては、一対の第１送りロール１と一対の第２送りロール２とを同期回転させ、その両ロール１、２の正回転と逆回転の繰り返しにより基材Ａを下流側に向けて所定量前進させ、その前進後に上流側に向けて所定量後退させて、基材Ａを下流側に向けて間歇送りする。
【００３９】
そして、間歇送りされる基材Ａの前進時に印刷ユニット１０の一方向に連続回転する版胴１２上の印版１３により基材Ａに粘着剤を印刷する。このように、基材Ａを間歇送りすることにより、その基材Ａの片面に粘着剤が次々と印刷される。図２のＢは印刷された粘着剤を示し、その印刷された粘着剤Ｂが一対のニップロール２０間を通過する際にその上に転写シートＳ０が重ね合わされ、上記ニップロール２０の挟圧により基材Ａに貼り合わされてシート積層体Ｓ１が形成される。
【００４０】
シート積層体Ｓ１が紫外線照射ユニット３０の位置まで移送されると、紫外線照射ユニット３０からの紫外線の照射により粘着剤Ｂが硬化する。その硬化により転写シートＳ０の金属箔ｓ２が固着され、剥離ロール４１から離型シートｓ１を引き上げ、その離型シートｓ１を基材Ａから剥離させることにより、粘着剤Ｂに金属箔ｓ２が転写されることになる。
【００４１】
なお、粘着剤Ｂ上に金属箔ｓ２が転写された基材Ａは巻取りドラム５１により巻き取られ、一方、基材Ａから剥離された離型シートｓ１はドラム４２により巻き取られる。
【００４２】
ここで、粘着剤の印刷に際しては、一対の第１送りロール１および一対の第２送りロール２を停止状態から加速し、その周速が印刷ユニット１０の版胴１２に取り付けられた印版１３の周速に等しくなると等速回転させ、その等速回転時に印刷を行う。そして、印刷が完了すると減速して停止する。
【００４３】
また、基材Ａを後退させる場合は、上記一対の第１送りロール１および一対の第２送りロール２の加速による立ち上がり回転時および減速による立下り回転時の基材Ａの送り量に略相当する量だけ基材Ａを上流側に引き戻し、印刷される粘着剤Ｂの間隔を小さくして、損紙の発生を抑制する。
【００４４】
また、基材Ａの後退による引き戻し時には、移動装置２３のエンドレスベルト２７の移動により一対のニップロール２０を支持する支持体２１を基材Ａの後退方向と同方向に同じ速度でもって同量だけ移動させるようにして、基材Ａに印刷された未硬化の粘着剤Ｂが一対のニップロール２０から上流側に引き抜かれるのを防止する。
【００４５】
このように、基材Ａの後退による引き戻し時に一対のニップロール２０を支持する支持体２１を基材Ａの後退方向と同方向に同じ速度でもって同量だけ移動させることにより、転写シートＳ０の金属箔ｓ２が未硬化の粘着剤との接着によって離型シートｓ１から不完全な状態で剥離されるのを防止することができる。
【００４６】
なお、基材Ａを前進させる場合は、エンドレスベルト２７の移動により一対のニップロール２０を支持する支持体２１を基材Ａの前進方向と同方向に同じ速度でもって移動させて元の待機位置で停止させる。
【００４７】
実施の形態では、印刷ユニット１０により基材Ａに紫外線硬化型の粘着剤Ｂを印刷し、その粘着剤に金属箔ｓ２を転写させるようにしたが、基材Ａとしてインキ印刷されたものを用いると共に、紫外線硬化型粘着剤に代えて紫外線硬化型ニスを採用し、そのニスをインキ印刷面上に印刷し、かつ、離型シートｓ１に代えてフィルムを採用し、そのフィルムによって印刷されたニスの平滑性を保持するようにしてもよい。
【００４８】
この場合、紫外線の照射によってニスを硬化させた後、剥離手段４０によって基材からフィルムを剥離する。
【００４９】
また、基材Ａとしてインキ印刷されたもの用いると共に、紫外線硬化型粘着剤に代えて紫外線硬化型の糊を採用して、その糊をインキ印刷面上に印刷し、かつ、離型シートに代えてラミネートフィルムを採用してもよい。
【００５０】
この場合、紫外線の照射によって糊を硬化させた後、ラミネートフィルムをインキ印刷面の周囲に沿ってハーフカットし、その抜きかすと成るラミネートフィルムを剥離手段４０により基材から剥離する。
【００５１】
いずれの場合も、基材に印刷されたニスあるいは糊の印刷部位からフィルムやラミネートフィルムが剥離されることがないため、ニスあるいは糊に線状の模様が形成されるという不都合の発生はなく、商品価値の高い商品を得ることができる。
【図面の簡単な説明】
【００５２】
【図１】この発明に係る貼り合わせ装置の実施の形態を示す概略図
【図２】図１の移動装置を除いた全体の斜視図
【図３】転写シートの断面図
【図４】従来の貼り合わせ装置を示す斜視図
【符号の説明】
【００５３】
Ａ    基材
Ｓ０  転写シート
Ｓ１  シート積層体
ｓ１  離型シート
ｓ２  金属箔
Ｂ    粘着剤
１    第１送りロール
２    第２送りロール
１０  印刷ユニット
２０  ニップロール
２１  支持体
２３  移動装置
２５  駆動プーリ
２６  従動プーリ
２７  ベルト
３０  紫外線照射ユニット
４０  剥離手段
【図１】
2010023262.tif 000003
【図２】
2010023262.tif 000004
【図３】
2010023262.tif 000005
【図４】
2010023262.tif 000006